(57)【要約】【課題】偽造が困難な媒体を提供する。【解決手段】第１発光スペクトル４１を有する第１光が画像１２に照射されたとき、第１絵柄領域２１からの反射光および第１背景領域２２からの反射光は、異色の光として視認され、かつ、第２絵柄領域２６からの反射光および第２背景領域２７からの反射光は、同色の光として視認される。また、第２発光スペクトル４２を有する第２光が画像１２に照射されたとき、第１絵柄領域２１からの反射光および第１背景領域２２からの反射光は、同色の光として視認され、かつ、第２絵柄領域２６からの反射光および第２背景領域２７からの反射光は、異色の光として視認される。【選択図】図１
2014156024.tif 000002
【特許請求の範囲】
【請求項１】
基材上に画像が形成された媒体であって、
前記画像は、第１画像領域および第２画像領域を有し、
前記第１画像領域は、第１絵柄領域と、前記第１絵柄領域の周囲に配置された第１背景領域と、を含み、
前記第２画像領域は、第２絵柄領域と、前記第２絵柄領域の周囲に配置された第２背景領域と、を含み、
第１発光スペクトルを有する第１光が照射されたとき、前記第１絵柄領域からの反射光および前記第１背景領域からの反射光は、異色の光として視認され、かつ、前記第２絵柄領域からの反射光および前記第２背景領域からの反射光は、同色の光として視認され、
前記第１発光スペクトルとは異なる第２発光スペクトルを有する第２光が照射されたとき、前記第１絵柄領域からの反射光および前記第１背景領域からの反射光は、同色の光として視認され、かつ、前記第２絵柄領域からの反射光および前記第２背景領域からの反射光は、異色の光として視認される、媒体。
【請求項２】
前記第１光は、第１白色光源から発光された第１白色光であり、
前記第２光は、第２白色光源から発光された第２白色光である、請求項１に記載の媒体。
【請求項３】
前記第１白色光源および前記第２白色光源のうちの少なくともいずれか一方は、三波長形蛍光灯または白色ＬＥＤから構成されている、請求項２に記載の媒体。
【請求項４】
前記第１絵柄領域および前記第１背景領域の少なくともいずれか一方は、照射される光のスペクトルに応じて色相が変化する色相変化領域であり、
前記第２絵柄領域および前記第２背景領域の少なくともいずれか一方は、照射される光のスペクトルに応じて色相が変化する色相変化領域であり、
色相変化領域は、その反射スペクトルが、ベースラインから下方に凸となっている負のピークであって、ベースラインの高さｈ０の０．５倍以上の深さを有するとともに５０ｎｍ以下の半値幅を有する負のピークを含む、領域として定義される、請求項１乃至３のいずれか一項に記載の媒体。
【請求項５】
前記第１絵柄領域および前記第１背景領域の一方は、色相変化領域であり、他方は、非色相変化領域であり、
前記第２絵柄領域および前記第２背景領域の一方は、色相変化領域であり、他方は、非色相変化領域であり、
非色相変化領域は、その反射スペクトルがベースラインの高さｈ０の０．５倍以上の深さを有する負のピークを含まない、または、その反射スペクトルが５０ｎｍ以下の半値幅を有する負のピークを含まない、領域として定義される、請求項４に記載の媒体。
【請求項６】
前記第１絵柄領域および前記第２絵柄領域は、色相変化領域であり、
前記第１背景領域および前記第２背景領域は、非色相変化領域である、請求項５に記載の媒体。
【請求項７】
前記第１絵柄領域および前記第２背景領域は、色相変化領域であり、
前記第１背景領域および前記第２絵柄領域は、非色相変化領域である、請求項５に記載の媒体。
【請求項８】
前記第１背景領域および前記第２背景領域は、色相変化領域であり、
前記第１絵柄領域および前記第２絵柄領域は、非色相変化領域である、請求項５に記載の媒体。
【請求項９】
前記色相変化領域として構成された各領域はいずれも、照射される光のスペクトルに応じて色相が変化する同一の色相変化インクを含む、請求項６乃至８のいずれか一項に記載の媒体。
【請求項１０】
前記第１絵柄領域および前記第１背景領域の少なくともいずれか一方に含まれる色相変化インクと、前記第２絵柄領域および前記第２背景領域の少なくともいずれか一方に含まれる色相変化インクとが異なっている、請求項４に記載の媒体。
【請求項１１】
前記第１絵柄領域、前記第１背景領域、前記第２絵柄領域および前記第２背景領域はいずれも、互いに離間して配置された複数の単位領域を含んでいる、請求項１乃至１０のいずれか一項に記載の媒体。
【請求項１２】
前記単位領域が、マイクロ文字を形成している、請求項１１に記載の媒体。
【請求項１３】
基材上に画像が形成された媒体の確認方法において、
前記媒体の前記画像は、第１画像領域および第２画像領域を有し、
前記第１画像領域は、第１絵柄領域と、前記第１絵柄領域の周囲に配置された第１背景領域と、を含み、
前記第２画像領域は、第２絵柄領域と、前記第２絵柄領域の周囲に配置された第２背景領域と、を含み、
第１発光スペクトルを有する第１光が前記媒体の前記画像に照射されたとき、前記第１絵柄領域からの反射光および前記第１背景領域からの反射光は、異色の光として視認され、かつ、前記第２絵柄領域からの反射光および前記第２背景領域からの反射光は、同色の光として視認され、
前記第１発光スペクトルとは異なる第２発光スペクトルを有する第２光が前記媒体の前記画像に照射されたとき、前記第１絵柄領域からの反射光および前記第１背景領域からの反射光は、同色の光として視認され、かつ、前記第２絵柄領域からの反射光および前記第２背景領域からの反射光は、異色の光として視認され、
前記媒体の確認方法は、
前記媒体を準備する工程と、
第１発光スペクトルを有する第１光を前記媒体に照射して、前記第１画像領域の前記第１絵柄領域と前記第１背景領域とが判別され、かつ、前記第２画像領域の前記第２絵柄領域と前記第２背景領域とが判別されないことを確認する工程と、
第２発光スペクトルを有する第２光を前記媒体に照射して、前記第１画像領域の前記第１絵柄領域と前記第１背景領域とが判別されず、かつ、前記第２画像領域の前記第２絵柄領域と前記第２背景領域とが判別されることを確認する工程と、を備える、媒体の確認方法。
【発明の詳細な説明】
【技術分野】
【０００１】
本発明は、照射される光の波長スペクトルに応じて見え方が変化する画像が形成された媒体に関する。また本発明は、媒体の確認方法に関する。
【背景技術】
【０００２】
金券やプリペイドカードを含む有価証券や、免許証を含む身分証明書など、偽造を防止することが必要とされる媒体において、メタメリズムを応用したメタメリックペアインクを用いることが知られている。メタメリックペアインクとは、照射される光源の種類や、特定波長のみを透過させるフィルタの種類に応じて、同色に見えたり異なった色に見えたりする一対のインクのことである。このようなメタメリックペアインクを利用して画像を形成し、これによって偽造を防止することが提案されている。
【０００３】
例えば特許文献１においては、太陽光、蛍光灯、白熱電球等からの通常光下では同色に見えるが、所望のフィルタを通してみるか、又は所望のフィルタを通過させた光のもとで見ると一方が異なった色相に見えるメタメリックな性質を有する２ 種類のインクを用いて画像を形成することが提案されている。
【先行技術文献】
【特許文献】
【０００４】
【特許文献１】特開昭５４−１５９００４号公報
【発明の概要】
【発明が解決しようとする課題】
【０００５】
近年、照明技術の発達により、室内で使用される白色光源の発光スペクトルが従来と比べて変化している。例えば、室内で使用される蛍光灯は、従来は、普通形蛍光灯や一波長形蛍光灯と称される、連続的な波長分布を有する蛍光灯であった。一方、現在は、赤色、緑色および青色の各波長域でピークを有する三波長形蛍光灯が主流となっている。また、青色の波長域でピークを有するとともに、緑色や赤色などのその他の波長域においては連続的な波長分布を示すＬＥＤを使用した照明も増えてきている。このように、現在は様々な光源が照明として使用されている。
【０００６】
ところで、メタメリックペアインクを利用した従来の偽造防止媒体は、連続的な波長分布を有する蛍光灯や太陽光が照射されるときには画像が隠れるよう、構成されている。しかしながら上述のように、近年、特定の波長域にピークを有する白色光源が多く利用されている。従って、従来の偽造防止媒体においては、隠れているべき画像が白色光源下で現れてしまうという問題が生じることが考えられる。
【０００７】
本発明は、このような課題を効果的に解決し得る媒体を提供することを目的とする。
【課題を解決するための手段】
【０００８】
本発明は、基材上に画像が形成された媒体であって、前記画像は、第１画像領域および第２画像領域を有し、前記第１画像領域は、第１絵柄領域と、前記第１絵柄領域の周囲に配置された第１背景領域と、を含み、前記第２画像領域は、第２絵柄領域と、前記第２絵柄領域の周囲に配置された第２背景領域と、を含み、第１発光スペクトルを有する第１光が照射されたとき、前記第１絵柄領域からの反射光および前記第１背景領域からの反射光は、異色の光として視認され、かつ、前記第２絵柄領域からの反射光および前記第２背景領域からの反射光は、同色の光として視認され、前記第１発光スペクトルとは異なる第２発光スペクトルを有する第２光が照射されたとき、前記第１絵柄領域からの反射光および前記第１背景領域からの反射光は、同色の光として視認され、かつ、前記第２絵柄領域からの反射光および前記第２背景領域からの反射光は、異色の光として視認される、媒体である。
【０００９】
本発明による媒体において、前記第１光は、第１白色光源から発光された第１白色光であり、前記第２光は、第２白色光源から発光された第２白色光であってもよい。この場合、前記第１白色光源および前記第２白色光源のうちの少なくともいずれか一方は、三波長形蛍光灯または白色ＬＥＤから構成されていてもよい。
【００１０】
本発明による媒体において、前記第１絵柄領域および前記第１背景領域の少なくともいずれか一方は、照射される光のスペクトルに応じて色相が変化する色相変化領域であり、前記第２絵柄領域および前記第２背景領域の少なくともいずれか一方は、照射される光のスペクトルに応じて色相が変化する色相変化領域であってもよい。ここで、色相変化領域は、その反射スペクトルが、ベースラインから下方に凸となっている負のピークであって、ベースラインの高さｈ０の０．５倍以上の深さを有するとともに５０ｎｍ以下の半値幅を有する負のピークを含む、領域として定義される。
【００１１】
本発明による媒体において、前記第１絵柄領域および前記第１背景領域の一方は、色相変化領域であり、他方は、非色相変化領域であり、前記第２絵柄領域および前記第２背景領域の一方は、色相変化領域であり、他方は、非色相変化領域であってもよい。ここで、非色相変化領域は、その反射スペクトルがベースラインの高さｈ０の０．５倍以上の深さを有する負のピークを含まない、または、その反射スペクトルが５０ｎｍ以下の半値幅を有する負のピークを含まない、領域として定義される。
【００１２】
本発明による媒体において、前記第１絵柄領域および前記第２絵柄領域は、色相変化領域であり、前記第１背景領域および前記第２背景領域は、非色相変化領域であってもよい。この場合、前記第１絵柄領域および前記第２絵柄領域はいずれも、照射される光のスペクトルに応じて色相が変化する同一の色相変化インクを含んでいてもよい。
【００１３】
本発明による媒体において、前記第１絵柄領域および前記第２背景領域は、色相変化領域であり、前記第１背景領域および前記第２絵柄領域は、非色相変化領域であってもよい。この場合、前記第１絵柄領域および前記第２背景領域はいずれも、照射される光のスペクトルに応じて色相が変化する同一の色相変化インクを含んでいてもよい。
【００１４】
本発明による媒体において、前記第１背景領域および前記第２背景領域は、色相変化領域であり、前記第１絵柄領域および前記第２絵柄領域は、非色相変化領域であってもよい。この場合、前記第１背景領域および前記第２背景領域はいずれも、照射される光のスペクトルに応じて色相が変化する同一の色相変化インクを含んでいてもよい。
【００１５】
本発明による媒体において、前記第１絵柄領域および前記第１背景領域の少なくともいずれか一方に含まれる色相変化インクと、前記第２絵柄領域および前記第２背景領域の少なくともいずれか一方に含まれる色相変化インクとが異なっていてもよい。
【００１６】
本発明による媒体において、前記第１絵柄領域、前記第１背景領域、前記第２絵柄領域および前記第２背景領域はいずれも、互いに離間して配置された複数の単位領域を含んでいてもよい。この場合、単位領域は、ドット領域を形成していてもよく、またはマイクロ文字を形成していてもよい。
【００１７】
本発明は、基材上に画像が形成された媒体の確認方法において、上記記載の媒体を準備する工程と、第１発光スペクトルを有する第１光を前記媒体に照射して、前記第１画像領域の前記第１絵柄領域と前記第１背景領域とが判別され、かつ、前記第２画像領域の前記第２絵柄領域と前記第２背景領域とが判別されないことを確認する工程と、第２発光スペクトルを有する第２光を前記媒体に照射して、前記第１画像領域の前記第１絵柄領域と前記第１背景領域とが判別されず、かつ、前記第２画像領域の前記第２絵柄領域と前記第２背景領域とが判別されることを確認する工程と、を備える、媒体の確認方法である。
【発明の効果】
【００１８】
本発明によれば、その全容を解明することが困難な画像が形成された媒体を提供することができる。このため、媒体が偽造されることを抑制することができる。
【図面の簡単な説明】
【００１９】
【図１】図１は、本発明の第１の実施形態における媒体を示す平面図。
【図２】図２は、図１に示す媒体の画像を拡大して示す平面図。
【図３】図３は、図２の画像をIII−III方向から見た場合を示す断面図。
【図４】図４は、第１白色光の発光スペクトルを示す図。
【図５】図５は、第２白色光の発光スペクトルを示す図。
【図６】図６は、その他の白色光の発光スペクトルを示す図。
【図７】図７は、色相変化インクを含む領域の反射スペクトルを示す図。
【図８】図８は、第１インクを含む領域の反射スペクトルを示す図。
【図９】図９は、第２インクを含む領域の反射スペクトルを示す図。
【図１０】図１０は、図４および図７乃至図９に示す各スペクトルを重ねて示す図。
【図１１】図１１は、第１の実施形態において、第１白色光が照射されたときの画像を示す平面図。
【図１２】図１２は、図５および図７乃至図９に示す各スペクトルを重ねて示す図。
【図１３】図１３は、第１の実施形態において、第２白色光が照射されたときの画像を示す平面図。
【図１４】図１４は、本発明の第２の実施形態における画像を示す断面図。
【図１５】図１５は、第２の実施形態において、第１白色光が照射されたときの画像を示す平面図。
【図１６】図１６は、第２の実施形態において、第２白色光が照射されたときの画像を示す平面図。
【図１７】図１７は、本発明の第３の実施形態における画像を示す断面図。
【図１８】図１８は、第３の実施形態において、第１白色光が照射されたときの画像を示す平面図。
【図１９】図１９は、第３の実施形態において、第２白色光が照射されたときの画像を示す平面図。
【図２０】図２０は、本発明の第４の実施形態における画像を示す平面図。
【図２１】図２１は、図２０の画像をＸＸＩ−ＸＸＩ方向から見た場合を示す断面図。
【図２２】図２２は、第４の実施形態において、第１白色光が照射されたときの画像を示す平面図。
【図２３】図２３は、第４の実施形態において、第２白色光が照射されたときの画像を示す平面図。
【図２４】図２４は、第４の実施形態の変形例における画像を示す平面図。
【発明を実施するための形態】
【００２０】
第１の実施の形態
以下、図１乃至図１３を参照して、本発明の第１の実施の形態について説明する。はじめに、本実施の形態による媒体１０を観察するために用いられる光の例について説明する。
【００２１】
媒体１０を観察するために用いられる光としては、例えば、互いに異なる発光スペクトルを有する２種類の白色光が用いられる。例えば、第１発光スペクトルを有する第１白色光として、三波長形蛍光灯から発光された白色光が用いられ、第２発光スペクトルを有する第２白色光として、白色ＬＥＤから発光された白色光が用いられる。
【００２２】
図４は、三波長形蛍光灯から発光された第１白色光の第１発光スペクトル４１を示す図である。第１発光スペクトル４１は、少なくとも３つの波長域でピークを有している。例えば図４に示すように、第１発光スペクトル４１は、青色波長域に存在する第１ピーク４１ａと、緑色波長域に存在する第２ピーク４１ｂと、赤色波長域に存在する第３ピーク４１ｃと、を含んでいる。各ピーク４１ａ，４１ｂ，４１ｃはいずれも、その半値幅が１０ｎｍ程度である急峻なピークとなっている。なお、各ピーク４１ａ，４１ｂ，４１ｃの波長や半値幅が特に限られることはなく、後述する色相変化インクの光学特性に応じて、様々なタイプの三波長形蛍光灯が用いられ得る。
【００２３】
図５は、白色ＬＥＤから発光された第２白色光の第２発光スペクトル４２を示す図である。第２白色光は、上述の第１白色光に比べて、より連続的な波長分布を有する光となっている。例えば図５に示すように、第２発光スペクトル４２は、青色波長域に存在する第１ピーク４２ａと、緑色波長域および赤色波長域にわたって連続的に広がる第２ピーク４２ｂと、を含んでいる。
【００２４】
次に、上述の第１白色光および第２白色光を用いて観察される媒体１０について説明する。はじめに図１および図２を参照して、媒体１０全体について説明する。
【００２５】
（媒体）
図１は、基材１１上に画像１２が形成された媒体１０の一例を示す平面図であり、図２は、図１に示す媒体１０の画像１２を拡大して示す平面図である。媒体１０は、例えば、商品券などの有価証券として構成されている。なお本実施の形態において、画像とは、特定の情報を示すまたは特定の情報を意味するものに限られることはない。例えば画像とは、図形、文字、模様、パターン、記号、柄、マーク、色彩等を広く含む概念である。
【００２６】
本実施の形態においては、画像１２が、媒体１０の真偽を判別するための真偽判別用画像として機能する。この画像１２は、図２に示すように、第１画像領域２０および第２画像領域２５を有している。第１画像領域２０は、「Ｏ」という画像に対応した輪郭を有する第１絵柄領域２１と、第１絵柄領域２１の周囲に配置された第１背景領域２２と、を含んでいる。第２画像領域２５は、「Ｋ」という画像に対応した輪郭を有する第２絵柄領域２６と、第２絵柄領域２６の周囲に配置された第２背景領域２７と、を含んでいる。
【００２７】
なお図２において、第１画像領域２０と第２画像領域２５との間の境界線１５ａ、第１絵柄領域２１と第１背景領域２２との間の境界線１５ｂ、および第２絵柄領域２６と第２背景領域２７との間の境界線１５ｃは、便宜上描かれているものであり、常に視認されるとは限らない。また図２において、第１画像領域２０と第２画像領域２５とが互いに接している例を示した。しかしながら、これに限られることはなく、第１画像領域２０と第２画像領域２５とは互いに離間していてもよい。
【００２８】
（絵柄領域および背景領域の構成）
次に、各領域２１，２２，２６，２７の具体的な構成について説明する。はじめに図３を参照して、各領域２１，２２，２６，２７の断面構造について説明する。図３は、図２の画像１２をIII−III方向から見た場合を示す断面図である。
【００２９】
図３に示すように、各領域２１，２２，２６，２７は、基材１１と、基材１１上に設けられたインク３１，３３，３５のいずれか１つと、を含んでいる。具体的には、第１絵柄領域２１および第２絵柄領域２６はいずれも、基材１１と、基材１１上に設けられた色相変化インク３１と、を含んでいる。第１絵柄領域２１に含まれる色相変化インク３１と、第２絵柄領域２６に含まれる色相変化インク３１とは同一のものである。また第１背景領域２２は、基材１１と、基材１１上に設けられた第１インク３３と、を含んでいる。第２背景領域２７は、基材１１と、基材１１上に設けられた第２インク３５と、を含んでいる。
【００３０】
[色相変化インク、第１インクおよび第２インク]
色相変化インク３１および第１インク３３は、上述の第１白色光が照射されたときには異色のものとして視認され、上述の第２白色光が照射されたときには同色のものとして視認されるよう、構成されている。すなわち色相変化インク３１および第１インク３３は、メタメリックペアインクとなっている。また色相変化インク３１および第２インク３５は、上述の第１白色光が照射されたときには同色のものとして視認され、上述の第２白色光が照射されたときには異色のものとして視認されるよう、構成されている。すなわち色相変化インク３１および第２インク３５も、メタメリックペアインクとなっている。
【００３１】
ここで「同色」とは、肉眼では色の違いを判別できない程度に２つの色の色相が近接していることを意味している。より具体的には、「同色」とは、２つの色の色差ΔＥ＊ａｂが２０以下、好ましくは１０以下、さらに好ましくは３以下であることを意味している。また「異色」とは、２つの色の色差ΔＥ＊ａｂが２０よりも大きいことを意味している。ここで色差ΔＥ＊ａｂとは、Ｌ＊ａ＊ｂ＊表色系におけるＬ＊、ａ＊およびｂ＊に基づいて算出される値であり、肉眼で観察された場合の色の相違に関する指標となる値である。なお、Ｌ＊ａ＊ｂ＊表色系におけるＬ＊、ａ＊およびｂ＊や、ＸＹＺ表色系における三刺激値Ｘ、ＹおよびＺは、光のスペクトルなどに基づいて算出される。またＬ＊、ａ＊およびｂ＊と三刺激値Ｘ、Ｙ、Ｚとの間には、周知の変換式に従う関係が成立している。
【００３２】
上記の三刺激値は、例えば分光光度計、色差計、測色計、色彩計、色度計等の計測器を用いることにより計測され得る。これらの計測器のうち分光光度計は、各波長の分光反射率を求めることができるので、三刺激値を精度良く計測することができ、このため色差の解析に適している。
【００３３】
色差ΔＥ＊ａｂを算出するためには、例えば、はじめに、比較する２つの領域からの光を分光光度計によって計測し、その結果に基づいて、各領域の三刺激値Ｘ、Ｙ、Ｚ、またはＬ＊、ａ＊、ｂ＊を算出する。次に、各領域におけるＬ＊、ａ＊、ｂ＊の差ΔＬ＊、Δａ＊、Δｂ＊から、以下の式に基づいて色差を算出する。
【数１】
2014156024.tif 000003
【００３４】
以下、各インク３１，３３，３５の反射スペクトルについて説明する。図７は、色相変化インク３１の反射スペクトルを示す図であり、図８は、第１インク３３の反射スペクトルを示す図であり、図９は、第２インク３５の反射スペクトルを示す図である。各反射スペクトルは、基準となる物体からの反射光と、各インク３１，３３，３５からの反射光との強度比を、分光光度計を用いて測定することにより得られるものである。基準となる物体としては、通常、標準白色板が用いられる。図７乃至図９において、縦軸に示すＲが、基準となる物体からの反射光と、インクからの反射光との強度比を意味している。なお各インク３１，３３，３５からの反射光には、各インク３１，３３，３５によって反射された光だけでなく、基材１１によって反射された光や、必要に応じて設けられるその他の層によって反射された光も含まれている。従って、図７乃至図９に示す反射スペクトルは、各インク３１，３３，３５および対応する基材１１やその他の層を含む領域における反射スペクトルであると言える。
【００３５】
図７に示すように、色相変化インク３１の反射スペクトル３２は、緑色波長域に存在し、ベースライン３２ｅから下方に凸となっている負のピーク３２ｂを含んでいる。この負のピーク３２ｂは、以下の特徴（１）および（２）を満たしている。
（１）ベースラインの高さｈ０の０．５倍以上の深さｄを有していること。
（２）５０ｎｍ以下の半値幅ｗを有していること。
なお、負のピーク３２ｂのベースライン３２ｅを決定する方法が特に限られることはなく、スペクトル解析における一般的な手法が用いられる。例えば、負のピーク３２ｂの波長よりも長波長側の波長域における反射の最大値、および、負のピーク３２ｂの波長よりも短波長側の波長域における反射の最大値を結ぶ線がベースライン３２ｅとして描かれる。また、ベースライン３２ｅを決定する際に解析対象となる波長範囲が制限されてもよい。例えば、負のピーク３２ｂの波長から長波長側にｓｎｍ広がる範囲内における反射の最大値、および、負のピーク３２ｂの波長から短波長側ｓｎｍ広がる範囲内における反射の最大値を結ぶ線がベースライン３２ｅとして描かれてもよい。ｓの値は、求められる色相変化の程度などに応じて適宜定められるが、例えば５０となっている。
【００３６】
以下、上述の特徴（１）および（２）を満たす負のピーク３２ｂの作用について説明する。
上述のように、第１白色光の第１発光スペクトル４１は、緑色波長域に存在する急峻な第２ピーク４１ｂを有している。従って、第１白色光が色相変化インク３１に照射された場合、色相変化インク３１によって反射される前後で、第１白色光に含まれる緑色成分の強度が大きく低下し、この結果、第１白色光の色相が大きく変化する。具体的には、反射の前後で第１白色光の色相が白色から桃色に変化する。以下の説明において、色相変化インク３１を含む領域に対して第１白色光が照射されたときに現れる桃色の部分のことを桃色部分Ｐｍとも称する。
一方、第２白色光の第２発光スペクトル４２の第２ピーク４２ｂは、緑色波長域および赤色波長域にわたって連続的に広がっている。すなわち、第２発光スペクトル４２の第２ピーク４２ｂの幅は、色相変化インク３１の負のピーク３２ｂの幅よりも十分に広くなっている。このため、第２白色光が色相変化インク３１に照射され、これによって色相変化インク３１の負のピーク３２ｂの分だけ第２白色光に含まれる緑色成分の強度が低下したとしても、色相変化インク３１の負のピーク３２ｂが第２白色光の色相に与える影響は、第１白色光の場合に比べて小さい。この結果、色相変化インク３１による反射の前後で、第２白色光の色相は例えば白色から黄色に変化する。以下の説明において、色相変化インク３１を含む領域に対して第２白色光が照射されたときに現れる黄色の部分のことを黄色部分Ｙｍとも称する。
【００３７】
このように本実施の形態によれば、色相変化インク３１の反射スペクトル３２が、上述の特徴（１）および（２）を満たす負のピーク３２ｂを含んでいるので、色相変化インク３１を含む領域の色相を、照射される光のスペクトルに応じて変化させることができる。以下の説明において、色相変化インク３１を含む領域であって、その反射スペクトルが上述の特徴（１）および（２）を有する負のピークを備える領域のことを、色相変化領域とも称する。本実施の形態においては、色相変化インク３１を含んでいる上述の第１絵柄領域２１および第２絵柄領域２６が、色相変化領域となっている。
【００３８】
好ましくは、色相変化インク３１は、第１白色光の第１発光スペクトル４１に含まれるピーク４１ａ，４１ｂ，４１ｃのいずれかのピーク波長に一致または近接するピーク波長を有し、かつ上述の特徴（１）および（２）を満たす負のピークを含むよう、構成または選択される。これによって、第１白色光に対する色相変化インク３１の色相変化効果をより大きくすることができる。なお図７に示すように、色相変化インク３１は、緑色波長域に存在する負のピーク３２ｂ以外にも、青色波長域に存在する負のピーク３２ａや赤色波長域に存在する負のピーク３２ｃなどのその他の負のピークを含んでいてもよい。これらの負のピーク３２ａ，３２ｃは、上述の特徴（１）および（２）を満たしていてもよく、若しくは満たしていなくてもよい。
【００３９】
色相変化インク３１としては、公知の様々な色相変化インクを適宜用いることができる。例えば、照射される白色光のスペクトルに応じて桃色または黄色を示すことができる色相変化インクとしては、Ｓｔａｒｄｕｓｔ  Ｍａｔｅｒｉａｌｓ  ＬＬＣ；の「ＣＲ８」というインクを挙げることができる。
【００４０】
次に第１インク３３および第２インク３５について説明する。図８に示すように、第１インク３３の反射スペクトル３４は明らかに、上述の特徴（１）および（２）を満たす負のピークを含んでいない。従って、照射される光のスペクトルに応じた反射光の色相の差が生じにくい。例えば、第１インク３３によって反射された第１白色光は、淡黄色として視認され、一方、第１インク３３によって反射された第２白色光は、黄色として視認される。また第２インク３５の反射スペクトル３６は、ベースライン３６ｂから下方に凸となっている負のピーク３６ａを含んでいる。しかしながら、負のピーク３６ａの半値幅は明らかに５０ｎｍよりも大きくなっている。従って第２インク３５の反射スペクトル３６も、上述の特徴（１）および（２）を満たす負のピークを含んでいないと言える。従って、照射される光のスペクトルに応じた反射光の色相の差が生じにくい。例えば、第２インク３５によって反射された第１白色光は、桃色として視認され、一方、第２インク３５によって反射された第２白色光は、鮭色として視認される。以下の説明において、第１インク３３や第２インク３５のような、照射される光のスペクトルに応じた反射光の色相の差を生じさせにくいインクを含む領域のことを、すなわち、その反射スペクトルが上述の特徴（１）を有する負のピークを含まない、または、その反射スペクトルが上述の特徴（２）を有する負のピークを含まない、領域のことを、非色相変化領域とも称する。本実施の形態においては、第１インク３３を含んでいる第１背景領域２２および第２インク３５を含んでいる第２背景領域２７が、非色相変化領域となっている。また、第１インク３３および第２インク３５のことを非色相変化インクとも称する。
【００４１】
第１インク３３および第２インク３５としては、色相変化インク３１が示す２つの色のいずれか一方の色に対応する公知の様々なインクを用いることができる。
例えば、桃色を示すインクとしては、ＤＩＣグラフィックス社製の「ＵＶ ＢＦ Ｄ―３３０ ピンクＷ」や、「ＮＳ Ｄ−３３０ ピンク」を挙げることができる。前者は、ＵＶ硬化タイプのインクであり、後者は、酸化重合タイプのインクである。その他にも、桃色を示すインクとして、同社製の「ＵＶ ＢＦ ＳＧ２０ 紅赤」や「ＮＳ ＡＺ ２０ 紅赤」を用いることもできる。
また、黄色を示すインクとしては、ＤＩＣグラフィックス社製の「ＵＶ ＢＦ ＡＺ Ｄ−５４０ イエロー」や、「ＮＳ Ｄ−５４０ イエロー」を挙げることができる。前者は、ＵＶ硬化タイプのインクであり、後者は、酸化重合タイプのインクである。その他にも、黄色を示すインクとして、同社製の「ＵＶ ＢＦ ＳＧ ２４ 赤黄」を用いることもできる。
【００４２】
なお第１インク３３に関して、淡黄色と黄色との間の色差は、色相変化インク３１の場合の桃色と黄色との間の色差に比べて十分に小さいため、以下の説明において、淡黄色を黄色と称することもある。例えば以下の説明において、第１インク３３を含む領域に対して第１白色光が照射されたときに現れる淡黄色の部分のことを黄色部分Ｙ１と称し、第１インク３３を含む領域に対して第２白色光が照射されたときに現れる黄色の部分のことを黄色部分Ｙ２と称することもある。
好ましくは、第１インク３３は、黄色部分Ｙ２と、上述の色相変化インク３１によって生成される黄色部分Ｙｍとの間の色差が、黄色部分Ｙ１と黄色部分Ｙｍとの間の色差よりも小さくなるよう、構成されている。
【００４３】
また第２インク３５に関しても、桃色と鮭色との間の色差は、色相変化インク３１の場合の桃色と黄色との間の色差に比べて十分に小さいため、以下の説明において、鮭色を桃色と称することもある。例えば以下の説明において、第２インク３５を含む領域に対して第１白色光が照射されたときに現れる桃色の部分のことを桃色部分Ｐ１と称し、第２インク３５を含む領域に対して第２白色光が照射されたときに現れる鮭色の部分のことを桃色部分Ｐ２と称することもある。
好ましくは、第２インク３５は、桃色部分Ｐ１と、上述の色相変化インク３１によって生成される桃色部分Ｐｍとの間の色差が、桃色部分Ｐ２と桃色部分Ｐｍとの間の色差よりも小さくなるよう、構成されている。
【００４４】
各インク３１，３３，３５を基材１１に設ける方法が特に限られることはなく、公知の方法が適宜用いられる。例えば、スクリーン印刷法、オフセット印刷法やインクジェット印刷法を用いることができる。好ましくは、各インク３１，３３，３５は、それらの反射特性や拡散特性がほぼ同等になるよう構成されている。例えば、各インク３１，３３，３５の厚みはほぼ同等になっている。これによって、各インク３１，３３，３５の厚みの差に起因して境界線１５ａ，１５ｂ，１５ｃが視認されることを抑制することができる。
【００４５】
なお図３において、第１絵柄領域２１に含まれる色相変化インク３１と、第１背景領域２２に含まれる第１インク３３とが接している例を示した。しかしながら、これに限られることはなく、肉眼によっては視認され得ない程度の隙間が、色相変化インク３１と第１インク３３との間に存在していてもよい。第１インク３３および第２インク３５、並びに色相変化インク３１および第２インク３５についても同様に、互いに接していてもよく、若しくは、肉眼によっては視認され得ない程度の隙間が両者の間に存在していてもよい。
【００４６】
[基材]
基材１１の材料が特に限られることはなく、媒体１０により構成する有価証券の種類に応じて適宜選択される。例えば、基材１１の材料として、優れた印刷適性および加工適性を有する白色のポリエチレンテレフタレートが用いられる。また、証券用紙や紙幣用紙を構成するための紙が基材１１として用いられてもよい。基材１１の厚みは、媒体１０により構成される有価証券の種類に応じて適宜設定される。
【００４７】
次に、このような構成からなる本実施の形態の作用および効果について説明する。ここでは、図１０乃至図１３を参照して、媒体１０から構成された有価証券が正規のものであるかどうかを確認する方法について説明する。
【００４８】
（第１白色光照射時）
はじめに、第１発光スペクトル４１を有する第１白色光を媒体１０に照射する。図１０は、各インク３１，３３，３５を含む領域の各反射スペクトル３２，３４，３６を重ねて示す図であり、図１１は、第１白色光が照射されたときの画像１２を示す平面図である。図１０においては、第１白色光の第１発光スペクトル４１も点線で示されている。図１０に示すように、第１白色光の第１発光スペクトル４１の第２ピーク４１ｂと、色相変化インク３１の反射スペクトル３２の負のピーク３２ｂとは重なっている。このため、色相変化インク３１を含む第１絵柄領域２１は、緑色成分の強度が大きく低減された、桃色部分Ｐｍとして視認される。一方、第１絵柄領域２１の周囲に配置された、第１インク３３を含む第１背景領域２２は、黄色部分Ｙ１として視認される。このように、第１白色光が照射されたとき、第１絵柄領域２１からの反射光および第１背景領域２２からの反射光は異色の光として視認される。この結果、図１１に示すように、第１絵柄領域２１と第１背景領域２２とが判別され、このため、第１画像領域２０に「Ｏ」という画像が現れる。
【００４９】
色相変化インク３１を含む第２絵柄領域２６は、第１絵柄領域２１と同様に、桃色部分Ｐｍとして視認される。また、第２絵柄領域２６の周囲に配置された、第２インク３５を含む第２背景領域２７も、桃色部分Ｐ１として視認される。このように、第１白色光が照射されたとき、第２絵柄領域２６からの反射光および第２背景領域２７からの反射光は同色の光として視認される。この結果、図１１に示すように、第２絵柄領域２６と第２背景領域２７とは判別されない。すなわち、第２画像領域２５に「Ｋ」という画像は現れない。
【００５０】
（第２白色光照射時）
次に、第２発光スペクトル４２を有する第２白色光を媒体１０に照射する。図１２は、各インク３１，３３，３５を含む領域の各反射スペクトル３２，３４，３６を重ねて示す図であり、図１３は、第２白色光が照射されたときの画像１２を示す平面図である。図１２においては、第２白色光の第２発光スペクトル４２も点線で示されている。図１２に示すように、第２発光スペクトル４２の第２ピーク４２ｂの幅は、色相変化インク３１の負のピーク３２ｂの幅よりも十分に広くなっている。このため、色相変化インク３１を含む第１絵柄領域２１は、緑色成分をある程度含む、黄色部分Ｙｍとして視認される。一方、第１絵柄領域２１の周囲に配置された、第１インク３３を含む第１背景領域２２は、黄色部分Ｙ２として視認される。このように、第２白色光が照射されたとき、第１絵柄領域２１からの反射光および第１背景領域２２からの反射光は同色の光として視認される。この結果、図１３に示すように、第１絵柄領域２１と第１背景領域２２とは判別されない。すなわち、第１画像領域２０に「Ｏ」という画像は現れない。
【００５１】
色相変化インク３１を含む第２絵柄領域２６は、第１絵柄領域２１と同様に、黄色部分Ｙｍとして視認される。一方、第２絵柄領域２６の周囲に配置された、第２インク３５を含む第２背景領域２７は、桃色部分Ｐ２として視認される。このように、第２白色光が照射されたとき、第２絵柄領域２６からの反射光および第２背景領域２７からの反射光は異色の光として視認される。この結果、図１３に示すように、第２絵柄領域２６と第２背景領域２７とが判別され、このため、第２画像領域２５に「Ｋ」という画像が現れる。
【００５２】
このように本実施の形態によれば、タイプの異なる２種類の白色光源のいずれが用いられる場合であっても、第１画像領域２０および第２画像領域２５のいずれか一方の画像を隠し、かつ、第１画像領域２０および第２画像領域２５のいずれか一方の画像を発現させることができる。このため、画像１２のパターンの全容が解明されることを抑制することができる。これによって、媒体１０から構成される有価証券が偽造されることを抑制することができる。
【００５３】
また本実施の形態によれば、第１絵柄領域２１および第２絵柄領域２６に比べて一般に大きい面積を有する第１背景領域２２および第２背景領域２７が、第１インク３３や第２インク３５などの非色相変化インクを含んでいる。このため、照射される白色光源のタイプに依らず、第１背景領域２２および第２背景領域２７の色相はあまり変化しないようになっている。これによって、画像が現れる領域が白色光源の切替に応じて切り替わることを、媒体１０の利用者に気付かれにくくすることができる。このことによっても、画像１２のパターンの全容が解明されることを抑制することができる。これによって、媒体１０により構成される有価証券が偽造されることを抑制することができる。
【００５４】
また本実施の形態によれば、一般的に用いられている２種類の白色光源を準備することにより、第１画像領域２０および第２画像領域２５に画像が現れるかどうかを検査することができる。このため、専用光源やフィルタなどの特殊な設備を用いることなく、媒体１０が正規のものかどうかを簡易かつ迅速に判別することができる。
【００５５】
また本実施の形態によれば、第１白色光が照射されたときには、「Ｏ」の画像が、桃色部分Ｐｍの第１絵柄領域２１と黄色部分Ｙ１の第１背景領域２２との間の色差に基づいて現れ、第２白色光が照射されたときには、「Ｋ」の画像が、黄色部分Ｙｍの第２絵柄領域２６と桃色部分Ｐ２の第２背景領域２７との間の色差に基づいて現れる。このように、絵柄領域の色相と背景領域の色相との間の関係が、桃色に対する黄色という関係から、黄色に対する桃色という関係に反転している。このため、このような反転関係にあるかどうかとういう点を検査することにより、媒体１０から構成される有価証券が正規のものであるかどうかの検査の信頼性をより高くすることができる。また、媒体１０の偽造をより困難にすることもできる。
【００５６】
また本実施の形態によれば、第１絵柄領域２１および第２絵柄領域２６はいずれも、照射される光のスペクトルに応じて色相が変化する同一の色相変化インク３１を含んでいる。このため、第１絵柄領域２１および第２絵柄領域２６が互いに異なる色相変化インクを含む場合に比べて、媒体１０を安価に提供することができる。
【００５７】
変形例
なお本実施の形態において、第１白色光を発光する第１白色光源として、三波長形蛍光灯が用いられ、第２白色光を発光する第２白色光源として、白色ＬＥＤが用いられる例を示した。しかしながら、これに限られることはなく、第１白色光源または第２白色光源として、普通形蛍光灯などのその他の白色光源を用いてもよい。参考までに、普通形蛍光灯から発光された白色光の発光スペクトルの例を図６に示す。
【００５８】
第２の実施の形態
次に図１４乃至図１６を参照して、本発明の第２の実施の形態について説明する。
【００５９】
本実施の形態においては、図１４に示すように、第１絵柄領域２１および第２背景領域２７はいずれも、照射される光のスペクトルに応じて色相が変化する同一の色相変化インク３１を含んでいる。すなわち、第１絵柄領域２１および第２背景領域２７が、色相変化領域となっている。一方、第１背景領域２２は第１インク３３を含み、第２絵柄領域２６は第２インク３５を含んでいる。すなわち、第１背景領域２２および第２絵柄領域２６が、非色相変化領域となっている。図１４乃至図１６に示す第２の実施の形態において、図１乃至図１３に示す第１の実施の形態と同一部分には同一符号を付して詳細な説明は省略する。また、第１の実施の形態において得られる作用効果が本実施の形態においても得られることが明らかである場合、その説明を省略することもある。
【００６０】
次に図１５および図１６を参照して、媒体１０から構成された有価証券が正規のものであるかどうかを確認する方法について説明する。図１５は、第１白色光が照射されたときの画像１２を示す平面図であり、図１６は、第２白色光が照射されたときの画像１２を示す平面図である。
【００６１】
（第１白色光照射時）
はじめに、第１発光スペクトル４１を有する第１白色光を媒体１０に照射する。この場合、上述の第１の実施の形態の場合と同様に、第１絵柄領域２１は桃色部分Ｐｍとして視認され、第１背景領域２２は黄色部分Ｙ１として視認される。このように、第１絵柄領域２１からの反射光および第１背景領域２２からの反射光は異色の光として視認される。この結果、図１５に示すように、第１絵柄領域２１と第１背景領域２２とが判別され、このため、第１画像領域２０に「Ｏ」という画像が現れる。
【００６２】
第２インク３５を含む第２絵柄領域２６は、桃色部分Ｐ１として視認される。一方、第２絵柄領域２６の周囲に配置された、色相変化インク３１を含む第２背景領域２７は、桃色部分Ｐｍとして視認される。このように、第１白色光が照射されたとき、第２絵柄領域２６からの反射光および第２背景領域２７からの反射光は同色の光として視認される。この結果、図１５に示すように、第２絵柄領域２６と第２背景領域２７とは判別されない。すなわち、第２画像領域２５に「Ｋ」という画像は現れない。
【００６３】
（第２白色光照射時）
次に、第２発光スペクトル４２を有する第２白色光を媒体１０に照射する。この場合、上述の第１の実施の形態の場合と同様に、第１絵柄領域２１は黄色部分Ｙｍとして視認され、第１背景領域２２は黄色部分Ｙ２として視認される。このように、第１絵柄領域２１からの反射光および第１背景領域２２からの反射光は同色の光として視認される。この結果、図１６に示すように、第１絵柄領域２１と第１背景領域２２とは判別されない。すなわち、第１画像領域２０に「Ｏ」という画像は現れない。
【００６４】
第２インク３５を含む第２絵柄領域２６は、桃色部分Ｐ２として視認される。一方、第２絵柄領域２６の周囲に配置された、色相変化インク３１を含む第２背景領域２７は、黄色部分Ｙｍとして視認される。このように、第２白色光が照射されたとき、第２絵柄領域２６からの反射光および第２背景領域２７からの反射光は異色の光として視認される。この結果、図１６に示すように、第２絵柄領域２６と第２背景領域２７とが判別され、このため、第２画像領域２５に「Ｋ」という画像が現れる。
【００６５】
このように本実施の形態においても、上述の第１の実施の形態の場合と同様に、タイプの異なる２種類の白色光源のいずれが用いられる場合であっても、第１画像領域２０および第２画像領域２５のいずれか一方の画像を隠し、かつ、第１画像領域２０および第２画像領域２５のいずれか一方の画像を発現させることができる。これによって、媒体１０から構成される有価証券が偽造されることを抑制することができる。
【００６６】
また本実施の形態によれば、第１白色光が照射されたとき、第１画像領域２０の第１背景領域２２は黄色部分Ｙ１として視認され、第２画像領域２５の第２背景領域２７は桃色部分Ｐｍとして視認される。一方、第２白色光が照射されたとき、第１画像領域２０の第１背景領域２２は黄色部分Ｙ２として視認され、第２画像領域２５の第２背景領域２７は黄色部分Ｙｍとして視認される。従って、第１白色光が照射されたときには、第１背景領域２２および第２背景領域２７が異色の領域として視認され、第２白色光が照射されたときには、第１背景領域２２および第２背景領域２７が同色の領域として視認される。このように、白色光源の切替に応じて、第１画像領域２０および第２画像領域２５の互いの背景領域の色相関係が同色と異色との間で切り替わる。このため、背景領域が同色であるかどうかという点を検査することにより、媒体１０から構成される有価証券が正規のものであるかどうかの検査の信頼性をより高くすることができる。また、媒体１０の偽造をより困難にすることもできる。
【００６７】
また本実施の形態によれば、第２絵柄領域２６に比べて一般に大きい面積を有する、第２絵柄領域２６の周囲に配置された第２背景領域２７が、色相変化インク３１を含んでいる。このため、上述の第１の実施の形態の場合と比べて、画像が現れる領域が白色光源の切替に応じて切り替わることが気付かれ易くなる。このことにより、媒体１０が正規のものかどうかの確認をより容易に実施することができる。
【００６８】
第３の実施の形態
次に図１７乃至図１９を参照して、本発明の第３の実施の形態について説明する。
【００６９】
本実施の形態においては、図１７に示すように、第１背景領域２２および第２背景領域２７はいずれも、照射される光のスペクトルに応じて色相が変化する同一の色相変化インク３１を含んでいる。すなわち、第１背景領域２２および第２背景領域２７が、色相変化領域となっている。一方、第１絵柄領域２１は第１インク３３を含み、第２絵柄領域２６は第２インク３５を含んでいる。すなわち、第１絵柄領域２１および第２絵柄領域２６が、非色相変化領域となっている。図１７乃至図１９に示す第３の実施の形態において、図１乃至図１３に示す第１の実施の形態と同一部分には同一符号を付して詳細な説明は省略する。また、第１の実施の形態において得られる作用効果が本実施の形態においても得られることが明らかである場合、その説明を省略することもある。
【００７０】
次に図１８および図１９を参照して、媒体１０から構成された有価証券が正規のものであるかどうかを確認する方法について説明する。図１８は、第１白色光が照射されたときの画像１２を示す平面図であり、図１９は、第２白色光が照射されたときの画像１２を示す平面図である。
【００７１】
（第１白色光照射時）
はじめに、第１発光スペクトル４１を有する第１白色光を媒体１０に照射する。この場合、第１インク３３を含む第１絵柄領域２１は、黄色部分Ｙ１として視認される。一方、第１絵柄領域２１の周囲に配置された、色相変化インク３１を含む第１背景領域２２は、桃色部分Ｐｍとして視認される。このように、第１白色光が照射されたとき、第１絵柄領域２１からの反射光および第１背景領域２２からの反射光は異色の光として視認される。この結果、図１８に示すように、第１絵柄領域２１と第１背景領域２２とが判別され、このため、第１画像領域２０に「Ｏ」という画像が現れる。
【００７２】
第２インク３５を含む第２絵柄領域２６は、桃色部分Ｐ１として視認される。一方、第２絵柄領域２６の周囲に配置された、色相変化インク３１を含む第２背景領域２７は、桃色部分Ｐｍとして視認される。このように、第１白色光が照射されたとき、第２絵柄領域２６からの反射光および第２背景領域２７からの反射光は同色の光として視認される。この結果、図１８に示すように、第２絵柄領域２６と第２背景領域２７とは判別されない。すなわち、第２画像領域２５に「Ｋ」という画像は現れない。
【００７３】
（第２白色光照射時）
次に、第２発光スペクトル４２を有する第２白色光を媒体１０に照射する。この場合、第１インク３３を含む第１絵柄領域２１は、黄色部分Ｙ２として視認される。一方、第１絵柄領域２１の周囲に配置された、色相変化インク３１を含む第１背景領域２２は、黄色部分Ｙｍとして視認される。このように、第２白色光が照射されたとき、第１絵柄領域２１からの反射光および第１背景領域２２からの反射光は同色の光として視認される。この結果、図１９に示すように、第１絵柄領域２１と第１背景領域２２とは判別されない。すなわち、第１画像領域２０に「Ｏ」という画像は現れない。
【００７４】
第２インク３５を含む第２絵柄領域２６は、桃色部分Ｐ２として視認される。一方、第２絵柄領域２６の周囲に配置された、色相変化インク３１を含む第２背景領域２７は、黄色部分Ｙｍとして視認される。このように、第２白色光が照射されたとき、第２絵柄領域２６からの反射光および第２背景領域２７からの反射光は異色の光として視認される。この結果、図１９に示すように、第２絵柄領域２６と第２背景領域２７とが判別され、このため、第２画像領域２５に「Ｋ」という画像が現れる。
【００７５】
このように本実施の形態においても、上述の第１の実施の形態の場合と同様に、タイプの異なる２種類の白色光源のいずれが用いられる場合であっても、第１画像領域２０および第２画像領域２５のいずれか一方の画像を隠し、かつ、第１画像領域２０および第２画像領域２５のいずれか一方の画像を発現させることができる。これによって、媒体１０から構成される有価証券が偽造されることを抑制することができる。
【００７６】
また本実施の形態によれば、第１画像領域２０の第１背景領域２２および第２画像領域２５の第２背景領域２７がいずれも同一の色相変化インク３１を含んでいる。このため、第１背景領域２２と第２背景領域２７とが常に同色の領域として視認される。従って、第１背景領域２２と第２背景領域２７とが互いに接している場合、第１画像領域２０と第２画像領域２５との間に境界線１５ａが現れることはない。これによって、画像１２が第１画像領域２０および第２画像領域２５という２つの領域に区画され得ることを、媒体１０の利用者に気付かれにくくすることができる。このことによっても、画像１２のパターンの全容が解明されることを抑制することができる。これによって、媒体１０により構成される有価証券が偽造されることを抑制することができる。
【００７７】
また本実施の形態によれば、第１絵柄領域２１および第２絵柄領域２６に比べて一般に大きい面積を有する第１背景領域２２および第２背景領域２７が、色相変化インク３１を含んでいる。このため、上述の第２の実施の形態の場合よりもさらに、画像が現れる領域が白色光源の切替に応じて切り替わることが気付かれ易くなる。このことにより、媒体１０が正規のものかどうかの確認をより容易に実施することができる。
【００７８】
第４の実施の形態
次に図２０乃至図２３を参照して、本発明の第４の実施の形態について説明する。
【００７９】
図２０は、本実施の形態における画像１２を示す平面図であり、図２１は、図２０の画像１２をＸＸＩ−ＸＸＩ方向から見た場合を示す断面図である。本実施の形態においては、第１絵柄領域２１、第１背景領域２２、第２絵柄領域２６および第２背景領域２７はいずれも、互いに離間して配置された複数の単位領域を含んでいる。図２１乃至図２３に示す第４の実施の形態において、図１乃至図１３に示す第１の実施の形態と同一部分には同一符号を付して詳細な説明は省略する。また、第１の実施の形態において得られる作用効果が本実施の形態においても得られることが明らかである場合、その説明を省略することもある。
【００８０】
図２０および図２１に示すように、第１絵柄領域２１および第１背景領域２２は、互いに離間して配置された複数のドット領域２１ａ，２２ａを含んでいる。この場合、第１画像領域２０における「Ｏ」という画像は、二次元配列された複数のドット領域２１ａ，２２ａ上の潜像として形成されている。具体的には、図２０および図２１に示すように、「Ｏ」という画像を画定する仮想的な境界線１５ｂによって囲われた位置に存在するドット領域２１ａは、色相変化インク３１を含んでいる。一方、境界線１５ｂの外側に存在するドット領域２２ａは、第１インク３３を含んでいる。このため本実施の形態においても、第１の形態の場合と同様に、第１絵柄領域２１が色相変化領域となっており、第１背景領域２２が非色相変化領域となっている。また、色相変化インク３１を含むドット領域２１ａと、第１インク３３を含むドット領域２２ａとは互いに接していない。
【００８１】
第２絵柄領域２６および第２背景領域２７も同様に、互いに離間して配置された複数のドット領域２６ａ，２７ａを含んでいる。このため、第２画像領域２５における「Ｋ」という画像は、二次元配列された複数のドット領域２６ａ，２７ａ上の潜像として形成されている。具体的には、図２０および図２１に示すように、「Ｋ」という画像を画定する仮想的な境界線１５ｃによって囲われた位置に存在するドット領域２６ａは、色相変化インク３１を含んでいる。一方、境界線１５ｃの外側に存在するドット領域２７ａは、第２インク３５を含んでいる。このため本実施の形態においても、第１の形態の場合と同様に、第２絵柄領域２６が色相変化領域となっており、第２背景領域２７が非色相変化領域となっている。また、色相変化インク３１を含むドット領域２６ａと、第２インク３５を含むドット領域２７ａとは互いに接していない。
【００８２】
各ドット領域２１ａ，２２ａ，２６ａ，２７ａの寸法ｄ１は、３００μｍ以下であることが好ましい。各ドット領域２１ａ，２２ａ，２６ａ，２７ａにおける、隣り合う２つのドット領域間の間隔ｄ２は、１００μｍ以下であることが好ましい。
【００８３】
次に図２２および図２３を参照して、媒体１０から構成された有価証券が正規のものであるかどうかを確認する方法について説明する。図２２は、第１白色光が照射されたときの画像１２を示す平面図であり、図２３は、第２白色光が照射されたときの画像１２を示す平面図である。
【００８４】
（第１白色光照射時）
はじめに、第１発光スペクトル４１を有する第１白色光を媒体１０に照射する。この場合、第１絵柄領域２１の各ドット領域２１ａは、桃色部分Ｐｍとして視認される。一方、第１背景領域２２の各ドット領域２２ａは、黄色部分Ｙ１として視認される。このように、第１白色光が照射されたとき、第１絵柄領域２１の各ドット領域２１ａからの反射光および第１背景領域２２の各ドット領域２２ａからの反射光は異色の光として視認される。この結果、図２２に示すように、ドット領域の色相の相違に基づいて、第１画像領域２０に「Ｏ」という潜像が現れる。
【００８５】
第２絵柄領域２６の各ドット領域２６ａは、桃色部分Ｐｍとして視認される。また、第２背景領域２７の各ドット領域２７ａも、桃色部分Ｐ１として視認される。このように、第１白色光が照射されたとき、第２絵柄領域２６の各ドット領域２６ａからの反射光および第２背景領域２７の各ドット領域２７ａからの反射光は同色の光として視認される。この結果、図２２に示すように、第２絵柄領域２６と第２背景領域２７とは判別されない。すなわち、第２画像領域２５に「Ｋ」という潜像は現れない。
【００８６】
（第２白色光照射時）
次に、第２発光スペクトル４２を有する第２白色光を媒体１０に照射する。この場合、第１絵柄領域２１の各ドット領域２１ａは、黄色部分Ｙｍとして視認される。一方、第１背景領域２２の各ドット領域２２ａは、黄色部分Ｙ２として視認される。このように、第２白色光が照射されたとき、第１絵柄領域２１の各ドット領域２１ａからの反射光および第１背景領域２２の各ドット領域２２ａからの反射光は同色の光として視認される。この結果、図２３に示すように、第１絵柄領域２１と第１背景領域２２とは判別されない。すなわち、第１画像領域２０に「Ｏ」という潜像は現れない。
【００８７】
第２絵柄領域２６の各ドット領域２６ａは、黄色部分Ｙｍとして視認される。一方、第２背景領域２７の各ドット領域２７ａは、桃色部分Ｐ２として視認される。このように、第２白色光が照射されたとき、第２絵柄領域２６の各ドット領域２６ａからの反射光および第２背景領域２７の各ドット領域２７ａからの反射光は異色の光として視認される。この結果、図２３に示すように、第２絵柄領域２６と第２背景領域２７とが判別され、このため、第２画像領域２５に「Ｋ」という潜像が現れる。
【００８８】
このように本実施の形態においても、上述の第１の実施の形態の場合と同様に、タイプの異なる２種類の白色光源のいずれが用いられる場合であっても、第１画像領域２０および第２画像領域２５のいずれか一方の画像を隠し、かつ、第１画像領域２０および第２画像領域２５のいずれか一方の画像を発現させることができる。これによって、媒体１０により構成される有価証券が偽造されることを抑制することができる。
【００８９】
また本実施の形態によれば、第１絵柄領域２１に含まれる色相変化インク３１と、第１背景領域２２に含まれる第１インク３３とが接していない。すなわち、第２白色光が照射されたとき、黄色部分Ｙｍと黄色部分Ｙ２とが接する部分が無い。このため、仮に黄色部分Ｙｍと黄色部分Ｙ２との間に若干の色差が存在する場合であっても、黄色部分Ｙｍと黄色部分Ｙ２との間の領域が境界領域として視認されることを抑制することができる。また、色相変化インク３１と第１インク３３とが接していないので、屈折率の差などに基づいて色相変化インク３１と第１インク３３との間の境界で光が反射したり屈折したりするということがない。この点でも、黄色部分Ｙｍと黄色部分Ｙ２との間の領域が境界領域として視認されることを抑制することができる。
同様に本実施の形態によれば、第２絵柄領域２６に含まれる色相変化インク３１と、第２背景領域２７に含まれる第２インク３５とが接していない。すなわち、第１白色光が照射されたとき、桃色部分Ｐｍと桃色部分Ｐ１とが接する部分が無い。このため、黄色部分Ｙｍおよび黄色部分Ｙ２の場合と同様に、桃色部分Ｐｍと桃色部分Ｐ１との間の領域が境界領域として視認されることを抑制することができる。
これらのことにより、画像１２の第１画像領域２０および第２画像領域２５のパターンの全容が解明されることをさらに抑制することができる。これによって、媒体１０により構成される有価証券が偽造されることをより抑制することができる。
【００９０】
（変形例）
なお本実施の形態において、第１絵柄領域２１、第１背景領域２２、第２絵柄領域２６および第２背景領域２７に含まれる単位領域がドット領域を形成している例を示した。しかしながら、これに限られることはなく、各領域２１，２２，２６，２７に含まれる単位領域が、マイクロ文字を形成していてもよい。図２４に示す例においては、各領域２１，２２，２６，２７はそれぞれ、「Ｄ」、「Ｎ」及び「Ｐ」というマイクロ文字２１ｂ，２２ｂ，２６ｂ，２７ｂを含んでいる。この場合、第１画像領域２０および第２画像領域２５における「Ｏ」および「Ｋ」という画像は、マイクロ文字２１ｂ，２２ｂ，２６ｂ，２７ｂの列の上の潜像として形成されている。
【００９１】
各マイクロ文字２１ｂ，２２ｂ，２６ｂ，２７ｂの寸法ｄ３は、３００μｍ角以下であることが好ましい。各マイクロ文字２１ｂ，２２ｂ，２６ｂ，２７ｂにおける、隣り合う２つのマイクロ文字の間の間隔ｄ４は、１００μｍ以下であることが好ましい。
【００９２】
人間の目の裸眼における分解能は、視力と対象物までの距離により異なるが、例えば視力１．５の人間が明視距離２５０ｍｍにおいて識別できる解像限界は、
250*tan(1/1.5/60)*2 = 0.1 (mm)
となる。
ここでいう解像限界とは、隣り合う２つの点を、２つの点として識別できる距離をいう。マイクロ文字の大きさを３００μｍ角以下とした場合、多くの文字において、文字を構成する線の間隔は１００μｍ程度となり、通常、肉眼では文字として識別することができない。また、文字の間隔を１００μｍ以下とした場合、隣り合う文字を異なる文字として識別することができない。
【００９３】
本変形例においても、上述のドット領域の場合と同様に、画像１２の第１画像領域２０および第２画像領域２５のパターンの全容が解明されることを抑制することができる。これによって、媒体１０により構成される有価証券が偽造されることをより抑制することができる。
【００９４】
（その他の変形例）
なお本実施の形態および変形例において、第１絵柄領域２１および第２絵柄領域２６が色相変化領域であり、第１背景領域２２および第２背景領域２７が非色相変化領域である例を示した。しかしながら、上述の第２の実施の形態の場合と同様に、第１絵柄領域２１および第２背景領域２７が色相変化領域として構成され、第１背景領域２２および第２絵柄領域２６が非色相変化領域として構成されていてもよい。また上述の第３の実施の形態の場合と同様に、第１背景領域２２および第２背景領域２７が色相変化領域として構成され、第１絵柄領域２１および第２絵柄領域２６が非色相変化領域として構成されていてもよい。
【００９５】
また各実施の形態および変形例において、第１画像領域２０に構成された色相変化領域および第２画像領域２５に構成された色相変化領域が、同一の色相変化インク３１を含む例を示した。しかしながら、これに限られることはなく、第１画像領域２０に構成された色相変化領域に含まれる色相変化インクと、第２画像領域２５に構成された色相変化領域に含まれる色相変化インクとが異なっていてもよい。これによって、画像１２のパターンの全容が解明されることをさらに抑制することができる。このことにより、媒体１０により構成される有価証券が偽造されることをより抑制することができる。各実施の形態および変形例において用いられ得る色相変化インクとしては、Ｓｔａｒｄｕｓｔ  Ｍａｔｅｒｉａｌｓ  ＬＬＣの上述の「ＣＲ８」の他にも、同社製の「Ｐ８」や「ＣＢ７」などを挙げることもできる。
【００９６】
また各実施の形態および変形例において、媒体１０を観察するために用いられる光として、互いに異なる発光スペクトルを有する２種類の白色光が用いられる例を示した。しかしながら、第１光が照射されたときに、第１絵柄領域２１からの反射光および第１背景領域２２からの反射光が異色の光として視認され、かつ第２絵柄領域２６からの反射光および第２背景領域２７からの反射光が同色の光として視認され、一方、第２光が照射されたときに、第１絵柄領域２１からの反射光および第１背景領域２２からの反射光が同色の光として視認され、かつ第２絵柄領域２６からの反射光および第２背景領域２７からの反射光が異色の光として視認される限りにおいて、第１光および第２光のタイプやスペクトルが特に限られることはない。
【００９７】
なお、上述した実施の形態に対するいくつかの変形例を説明してきたが、当然に、複数の変形例を適宜組み合わせて適用することも可能である。
【符号の説明】
【００９８】
１０    媒体
１１    基材
１２    画像
２０  第１画像領域
２１  第１絵柄領域
２２  第１背景領域
２５  第２画像領域
２６  第２絵柄領域
２７  第２背景領域
３１  色相変化インク
３３  第１インク
３５  第２インク
４１  第１発光スペクトル
４２  第２発光スペクトル
【図１】
2014156024.tif 000004
【図２】
2014156024.tif 000005
【図３】
2014156024.tif 000006
【図４】
2014156024.tif 000007
【図５】
2014156024.tif 000008
【図６】
2014156024.tif 000009
【図７】
2014156024.tif 000010
【図８】
2014156024.tif 000011
【図９】
2014156024.tif 000012
【図１０】
2014156024.tif 000013
【図１１】
2014156024.tif 000014
【図１２】
2014156024.tif 000015
【図１３】
2014156024.tif 000016
【図１４】
2014156024.tif 000017
【図１５】
2014156024.tif 000018
【図１６】
2014156024.tif 000019
【図１７】
2014156024.tif 000020
【図１８】
2014156024.tif 000021
【図１９】
2014156024.tif 000022
【図２０】
2014156024.tif 000023
【図２１】
2014156024.tif 000024
【図２２】
2014156024.tif 000025
【図２３】
2014156024.tif 000026
【図２４】
2014156024.tif 000027